(57)【要約】【課題】利用者の登録や嗜好データ等の設定を必要とせず、より広い範囲の利用者に対して情報を配信し、広告効果を高める。【解決手段】移動体端末装置４が当該移動体端末装置の利用履歴データを予め記録しておく利用履歴データ記録過程と、情報配信サーバ１が配信情報の種類を特定するキーワードを複数の移動体端末装置４に対して一斉に配信するキーワード配信過程と、移動体端末装置４が利用履歴データと情報配信サーバ１から受信したキーワードとを照合するキーワード照合過程と、この照合によって一致したキーワードに対応する情報のみを移動体端末装置４が取得する情報取得過程とを有する方法により、情報配信サーバ１から移動体端末装置４に対する情報配信を行う。【選択図】　　　図１
2004110512.tif 000002
【特許請求の範囲】
【請求項１】
情報配信サーバから移動体端末装置に対する情報配信方法であって、
前記移動体端末装置が当該移動体端末装置の利用履歴データを予め記録しておく利用履歴データ記録過程と、
情報配信サーバが配信情報の種類を特定するキーワードを複数の移動体端末装置に対して一斉に配信するキーワード配信過程と、
前記移動体端末装置が前記利用履歴データと前記情報配信サーバから受信した前記キーワードとを照合するキーワード照合過程と、
この照合によって一致したキーワードに対応する情報のみを前記移動体端末装置が取得する情報取得過程と、
を有することを特徴とする情報配信方法。
【請求項２】
前記利用履歴データが前記キーワードに一致して当該キーワードに対応する情報を前記移動体端末装置が取得する場合に、取得する旨を前記移動体端末装置が前記情報配信サーバに通知する通知過程と、
この通知を受けた場合に前記情報配信サーバが当該キーワードのヒット数をカウントアップして記録するカウントアップ過程と、
をさらに有することを特徴とする請求項１に記載の情報配信方法。
【請求項３】
前記利用履歴データ記録過程においては、前記移動体端末装置が通信ネットワークを介して検索あるいは受信した、広告情報、ニュース情報、商品名称情報、商品種類情報、店舗名称情報、店舗種類情報の少なくともいずれかに関するデータを利用履歴データとして記録することを特徴とする請求項１に記載の情報配信方法。
【請求項４】
前記利用履歴データ記録過程においては、前記移動体端末装置が映画あるいは音楽のコンテンツ情報を受信した際の、映画ジャンル情報、音楽ジャンル情報、題名情報、作者情報、歌手名情報の少なくともいずれかに関するデータを利用履歴データとして記録することを特徴とする請求項１に記載の情報配信方法。
【請求項５】
前記利用履歴データ記録過程においては、前記移動体端末装置がゲーム装置として用いられた際の、ゲーム名情報またはゲーム種類情報の少なくともいずれかに関するデータを利用履歴データとして記録することを特徴とする請求項１に記載の情報配信方法。
【請求項６】
前記利用履歴データ記録過程においては、前記移動体端末装置がテレビの遠隔制御装置として用いられた際の、テレビ番組のチャンネル情報、時間帯情報、番組名情報、番組種類情報、出演者名情報の少なくともいずれかに関するデータを利用履歴データとして記録することを特徴とする請求項１に記載の情報配信方法。
【請求項７】
前記利用履歴データ記録過程においては、前記移動体端末装置が商品購入のために用いられた際の、商品名情報または商品種類情報の少なくともいずれかに関するデータを利用履歴データとして記録することを特徴とする請求項１に記載の情報配信方法。
【請求項８】
前記利用履歴データ記録過程においては、前記移動体端末装置が交通機関のチケットとして用いられた際の、交通機関種類情報、経路情報、利用日情報の少なくともいずれかに関するデータを利用履歴データとして記録することを特徴とする請求項１に記載の情報配信方法。
【請求項９】
複数の移動体端末装置に対して情報を配信する情報配信サーバであって、
通信ネットワークを介して前記移動体端末装置との間でデータを送受信する手段と、
情報の種類を特定するキーワードと、当該キーワードに対応する配信情報と、当該キーワードの配信順序や配信スケジュールと、当該キーワードのヒット数を記録する手段と、
前記キーワードを順次検索して、前記配信順序や配信スケジュールにしたがって、複数の移動体端末装置に対してキーワードを一斉に配信する手段と、
前記配信情報を前記キーワードと一緒に前記複数の移動体端末装置に対して配信し、あるいは、配信した前記キーワードに対応して前記移動体端末装置から配信要求を受けた際に前記配信情報を当該移動体端末装置に配信する手段と、
配信した前記キーワードに応じて前記移動体端末装置から配信情報を取得する旨の通知を受けた際に、当該キーワードのヒット数をカウントアップして記録する手段と、
を備えることを特徴とする情報配信サーバ。
【請求項１０】
情報配信サーバから情報の配信を受ける移動体端末装置であって、
当該移動体端末装置の利用履歴データを予め記録しておく利用履歴データ記録手段と、
前記利用履歴データと前記情報配信サーバから受信するキーワードとを照合するキーワード照合手段と、
この照合によって一致した場合のみ、前記情報配信サーバからの対応する情報のみを取得する情報取得手段と、
前記利用履歴データが前記キーワードに一致して当該キーワードに対応する情報を取得する場合に取得する旨を前記情報配信サーバに通知する通知手段と、
を備えることを特徴とする移動体端末装置。
【請求項１１】
前記情報配信サーバとのデータ送受信のために基地局との間で信号を無線通信によりやり取りする手段と、
利用者へのメッセージを表示する手段と、
利用者がコマンドを入力する手段と、
配信情報を記録する手段と、
をさらに備えることを特徴とする請求項１０記載の移動体端末装置。
【請求項１２】
前記利用履歴データ記録手段は、前記移動体端末装置が通信ネットワークを介して検索あるいは受信した、広告情報、ニュース情報、商品名称情報、商品種類情報、店舗名称情報、店舗種類情報の少なくともいずれかに関するデータを利用履歴データとして記録することを特徴とする請求項１０に記載の移動体端末装置。
【請求項１３】
前記利用履歴データ記録手段は、前記移動体端末装置が映画あるいは音楽のコンテンツ情報を受信した際の、映画ジャンル情報、音楽ジャンル情報、題名情報、作者情報、歌手名情報の少なくともいずれかに関するデータを利用履歴データとして記録することを特徴とする請求項１０に記載の移動体端末装置。
【請求項１４】
前記利用履歴データ記録手段は、前記移動体端末装置がゲーム装置として用いられた際の、ゲーム名情報またはゲーム種類情報の少なくともいずれかに関するデータを利用履歴データとして記録することを特徴とする請求項１０に記載の移動体端末装置。
【請求項１５】
前記利用履歴データ記録手段は、前記移動体端末装置がテレビの遠隔制御装置として用いられた際の、テレビ番組のチャンネル情報、時間帯情報、番組名情報、番組種類情報、出演者名情報の少なくともいずれかに関するデータを利用履歴データとして記録することを特徴とする請求項１０に記載の移動体端末装置。
【請求項１６】
前記利用履歴データ記録手段は、前記移動体端末装置が商品購入のために用いられた際の、商品名情報または商品種類情報の少なくともいずれかに関するデータを利用履歴データとして記録することを特徴とする請求項１０に記載の移動体端末装置。
【請求項１７】
前記利用履歴データ記録手段は、前記移動体端末装置が交通機関のチケットとして用いられた際の、交通機関種類情報、経路情報、利用日情報の少なくともいずれかに関するデータを利用履歴データとして記録することを特徴とする請求項１０に記載の移動体端末装置。
【発明の詳細な説明】
【０００１】
【発明の属する技術分野】
本発明は、通信ネットワークを用いて移動体端末装置へ情報を配信する方法に関する。
特に、本発明は、１つの基地局から無線通信エリアに入った複数の移動体端末装置に情報を配信する情報配信方法において、移動体端末装置の利用履歴を利用履歴データとして当該移動体端末装置内に記録し、無線通信エリア内の全ての移動体端末装置に情報の種類を特定するキーワードを配信情報とは別に、または配信情報と一緒に一斉に配信し、移動体対端末装置内の利用履歴データと当該キーワードを照合して一致する情報のみを移動体端末装置で取得することを特徴とする情報配信方法と、それを実現するための情報配信サーバ及び移動体端末装置に関するものである。
【０００２】
【従来の技術】
近年、携帯電話機や携帯情報端末等の移動体端末装置の利用者が増加しており、当該利用者に対して広告やニュース等の各種の情報を配信する情報配信サービスが広く行われている。また、公共の場所にブルートゥース（Ｂｌｕｅｔｏｏｔｈ）や無線ＬＡＮ（Ｌｏｃａｌ　Ａｒｅａ　Ｎｅｔｗｏｒｋ）等の微弱電波を使用した無線通信用の基地局を設置し、当該無線通信エリア内において、移動体端末装置からインターネットヘのアクセスや移動体端末装置への情報配信を可能とするホットスポットサービスが普及してきており、そこでは当該ホットスポットの近隣で販売している商品や店舗の広告等が情報の１種類として配信されている。このような移動体端末装置への情報配信方法では、利用者が情報取得を希望する会員としてあらかじめ登録することや、取得を希望する情報の種類を示す嗜好データを移動体端末装置または情報配信サーバにあらかじめ設定して、関連する情報のみを当該利用者に配信することにより、対象利用者を絞り込んだ情報配信を実現している。
【０００３】
【発明が解決しようとする課題】
しかし情報配信の際、利用者が情報取得を希望する会員としてあらかじめ登録する場合では、情報を発信する広告主等の立場からは対象利用者が限定されるため、広告効果を高めるために不特定多数を対象とした情報配信を行いたいという要望があった。
また利用者の立場からは、特に不特定多数を対象とした情報配信では、配信情報の中から希望する条件により適合したものを取得するために詳細な嗜好データの設定を要し、この設定作業が煩雑化し、さらに強固なプライバシー保護の仕組みが必要となるという問題があった。
【０００４】
本発明は、上記のような事情を考慮して為されたものであり、利用者の登録や嗜好データ等の設定を必要とせず、より広い範囲の利用者に対して情報を配信し、広告効果を高めることのできる情報配信方法および情報配信サーバならびに移動体端末装置を提供することを目的とする。
【０００５】
【課題を解決するための手段】
上記課題を解決するため、本発明は、情報配信サーバから移動体端末装置に対する情報配信方法であって、前記移動体端末装置が当該移動体端末装置の利用履歴データを予め記録しておく利用履歴データ記録過程と、情報配信サーバが配信情報の種類を特定するキーワードを複数の移動体端末装置に対して一斉に配信するキーワード配信過程と、前記移動体端末装置が前記利用履歴データと前記情報配信サーバから受信した前記キーワードとを照合するキーワード照合過程と、この照合によって一致したキーワードに対応する情報のみを前記移動体端末装置が取得する情報取得過程とを有することを特徴とする情報配信方法を要旨とする。なお、ここで、「キーワードを複数の移動体端末装置に対して一斉に配信」とは、例えば、ブルートゥースあるいは無線ＬＡＮシステムなどにおける基地局（アクセスポイント装置）のエリア内に存在するすべての移動体端末装置に対して一斉に配信するものである。
【０００６】
また、本発明の情報配信方法は、前記利用履歴データが前記キーワードに一致して当該キーワードに対応する情報を前記移動体端末装置が取得する場合に、取得する旨を前記移動体端末装置が前記情報配信サーバに通知する通知過程と、この通知を受けた場合に前記情報配信サーバが当該キーワードのヒット数をカウントアップして記録するカウントアップ過程とをさらに有することを特徴とするものである。
【０００７】
また、前記利用履歴データ記録過程においては、前記移動体端末装置が通信ネットワークを介して検索あるいは受信した、広告情報、ニュース情報、商品名称情報、商品種類情報、店舗名称情報、店舗種類情報の少なくともいずれかに関するデータを利用履歴データとして記録することを特徴とするものである。
また、前記利用履歴データ記録過程においては、前記移動体端末装置が映画あるいは音楽のコンテンツ情報を受信した際の、映画ジャンル情報、音楽ジャンル情報、題名情報、作者情報、歌手名情報の少なくともいずれかに関するデータを利用履歴データとして記録することを特徴とするものである。
また、前記利用履歴データ記録過程においては、前記移動体端末装置がゲーム装置として用いられた際の、ゲーム名情報またはゲーム種類情報の少なくともいずれかに関するデータを利用履歴データとして記録することを特徴とするものである。
【０００８】
また、前記利用履歴データ記録過程においては、前記移動体端末装置がテレビの遠隔制御装置として用いられた際の、テレビ番組のチャンネル情報、時間帯情報、番組名情報、番組種類情報、出演者名情報の少なくともいずれかに関するデータを利用履歴データとして記録することを特徴とするものである。
また、前記利用履歴データ記録過程においては、前記移動体端末装置が商品購入のために用いられた際の、商品名情報または商品種類情報の少なくともいずれかに関するデータを利用履歴データとして記録することを特徴とするものである。
また、前記利用履歴データ記録過程においては、前記移動体端末装置が交通機関のチケットとして用いられた際の、交通機関種類情報、経路情報、利用日情報の少なくともいずれかに関するデータを利用履歴データとして記録することを特徴とするものである。
【０００９】
また、本発明は、複数の移動体端末装置に対して情報を配信する情報配信サーバであって、通信ネットワークを介して前記移動体端末装置との間でデータを送受信する手段と、情報の種類を特定するキーワードと、当該キーワードに対応する配信情報と、当該キーワードの配信順序や配信スケジュールと、当該キーワードのヒット数を記録する手段と、前記キーワードを順次検索して、前記配信順序や配信スケジュールにしたがって、複数の移動体端末装置に対してキーワードを一斉に配信する手段と、前記配信情報を前記キーワードと一緒に前記複数の移動体端末装置に対して配信し、あるいは、配信した前記キーワードに対応して前記移動体端末装置から配信要求を受けた際に前記配信情報を当該移動体端末装置に配信する手段と、配信した前記キーワードに応じて前記移動体端末装置から配信情報を取得する旨の通知を受けた際に、当該キーワードのヒット数をカウントアップして記録する手段とを備えることを特徴とするものである。
【００１０】
また、本発明は、情報配信サーバから情報の配信を受ける移動体端末装置であって、当該移動体端末装置の利用履歴データを予め記録しておく利用履歴データ記録手段と、前記利用履歴データと前記情報配信サーバから受信するキーワードとを照合するキーワード照合手段と、この照合によって一致した場合のみ、前記情報配信サーバからの対応する情報のみを取得する情報取得手段と、前記利用履歴データが前記キーワードに一致して当該キーワードに対応する情報を取得する場合に取得する旨を前記情報配信サーバに通知する通知手段とを備えることを特徴とするものである。
また、本発明の移動体端末装置は、上記構成に加えて、前記情報配信サーバとのデータ送受信のために基地局との間で信号を無線通信によりやり取りする手段と、利用者へのメッセージを表示する手段と、利用者がコマンドを入力する手段と、配信情報を記録する手段とをさらに備えることを特徴とするものである。
【００１１】
また、前記利用履歴データ記録手段は、前記移動体端末装置が通信ネットワークを介して検索あるいは受信した、広告情報、ニュース情報、商品名称情報、商品種類情報、店舗名称情報、店舗種類情報の少なくともいずれかに関するデータを利用履歴データとして記録することを特徴とするものである。
また、前記利用履歴データ記録手段は、前記移動体端末装置が映画あるいは音楽のコンテンツ情報を受信した際の、映画ジャンル情報、音楽ジャンル情報、題名情報、作者情報、歌手名情報の少なくともいずれかに関するデータを利用履歴データとして記録することを特徴とするものである。
また、前記利用履歴データ記録手段は、前記移動体端末装置がゲーム装置として用いられた際の、ゲーム名情報またはゲーム種類情報の少なくともいずれかに関するデータを利用履歴データとして記録することを特徴とするものである。
【００１２】
また、前記利用履歴データ記録手段は、前記移動体端末装置がテレビの遠隔制御装置として用いられた際の、テレビ番組のチャンネル情報、時間帯情報、番組名情報、番組種類情報、出演者名情報の少なくともいずれかに関するデータを利用履歴データとして記録することを特徴とするものである。
また、前記利用履歴データ記録手段は、前記移動体端末装置が商品購入のために用いられた際の、商品名情報または商品種類情報の少なくともいずれかに関するデータを利用履歴データとして記録することを特徴とするものである。
また、前記利用履歴データ記録手段は、前記移動体端末装置が交通機関のチケットとして用いられた際の、交通機関種類情報、経路情報、利用日情報の少なくともいずれかに関するデータを利用履歴データとして記録することを特徴とするものである。
【００１３】
つまり、無線通信エリア内の全ての移動体端末装置に情報の種類を特定するキーワードを、配信情報とは別にまたは配信情報と一緒に、一斉に配信する手段と、移動体端末装置で情報を取得する際に利用履歴データと一致したキーワードの通知を受けて当該キーワードのヒット数をカウントアップする手段を情報配信サーバに備えることにより、当該無線通信エリア内で情報取得を希望する全ての移動体端末装置に向けた情報配信が可能となり、各キーワードのヒット数をもとに利用者動向を分析することで広告効果を高めることも可能となる。
一方、移動体端末装置の利用履歴を利用履歴データとして当該移動体端末装置内に記録する手段と、利用履歴データと情報の種類を特定するキーワードを照合して一致する情報のみを取得する手段を移動体端末装置に備えることにより、利用者の嗜好データの設定作業を軽減し、かつ希望する条件により適合した情報のみを取得することが可能となる。また、情報を取得する際に利用履歴データと一致した必要最小限のキーワードのみを情報配信サーバに通知する手段を移動体端末装置に備えることにより、利用者のプライバシー保護も可能となる。
そして、本発明では、１つの基地局から無線通信エリアに入った複数の移動体端末装置に情報を配信する情報配信方法において、移動体端末装置の利用履歴を利用履歴データとして当該移動体端末装置内に記録し、無線通信エリア内の全ての移動体端末装置に情報の種類を特定するキーワードを配信情報とは別に、または配信情報と一緒に一斉に配信し、移動体対端末装置内の利用履歴データと当該キーワードを照合して一致する情報のみを移動体端末装置で取得する情報配信方法を実現する。このため、無線通信エリア内の全ての移動体端末装置に情報の種類を特定するキーワードを配信情報とは別に、または配信情報と一緒に一斉に配信する手段と、移動体端末装置で情報を取得する際に利用履歴データと一致したキーワードの通知を受けて当該キーワードのヒット数をカウントアップする手段を情報配信サーバに備え、移動体端末装置の利用履歴を利用履歴データとしで当該移動体端末装置内に記録する手段と、利用履歴データと情報の種類を特定するキーワードを照合して一致する情報のみを取得する手段と、情報を取得する際に利用履歴データと一致したキーワードを情報配信サーバに通知する手段を移動体端末装置に備える。
【００１４】
【発明の実施の形態】
以下、図面を参照し、この発明における移動体端末装置への情報配信方法の一実施形態について説明する。
図１は、本発明に係る情報配信方法を実現するためのネットワークシステムの構成を示す構成図である。図１の構成において、各種の情報は、情報配信サーバ１からインターネットや通信事業者のネットワーク等の通信ネットワーク２を介して基地局３で中継され、移動体端末装置４へ配信される。情報には、テキスト、静止画、動画や音声等により表現した商品や店舗の広告、ニュース等が含まれる。
【００１５】
情報配信サーバ１は、データ送受信手段１１、サーバ制御手段１２、データ管理手段１３より構成される。
データ送受信手段１１は、通信ネットワーク２を介して移動体端末装置４との間でデータを送受信する手段を有する。
【００１６】
情報の種類を特定するキーワードを配信情報とは別に配信する場合に、サーバ制御手段１２は、データ管理手段１３から情報ＩＤ、情報の種類を特定するキーワード及び当該キーワードの配信順序や配信スケジュール等を順次検索し、無線通信エリア内の全ての移動体端末装置４に、配信順序や配信スケジュールにしたがって情報ＩＤとキーワードをデータ送受信手段１１経由で一斉に配信する手段を有する。また、サーバ制御手段１２は、移動体端末装置４からの情報の配信要求をデータ送受信手段１１経由で受け、データ管理手段１３から当該情報を検索して当該移動体端末装置４のみにデータ送受信手段１１経由で情報を配信する手段を有する。さらに、サーバ制御手段１２は、当該情報配信要求に含まれるキーワードのヒット数をカウントアップしてデータ管理手段１３に記録する手段を有する。
情報の種類を特定するキーワードを配信情報と一緒に配信する場合に、サーバ制御手段１２は、データ管理手段１３から情報ＩＤ、情報の種類を特定するキーワード、当該キーワードの配信順序や配信スケジュール及び配信情報等を順次検索し、無線通信エリア内の全ての移動体端末装置４に配信順序や配信スケジュールにしたがって情報ＩＤ、キーワード及び配信情報をデータ送受信手段１１経由で一斉に配信する手段を有する。また、サーバ制御手段１２は、移動体端末装置４からの情報の取得通知をデータ送受信手段１１経由で受け、当該情報取得通知に含まれるキーワードのヒット数をカウントアップしてデータ管理手段１３に記録する手段を有する。
【００１７】
データ管理手段１３は、情報ＩＤ、情報の種類を特定するキーワード、当該キーワードの配信順序や配信スケジュール、当該キーワードのヒット数及び配信情報等を記録する手段を有する。情報の種類を特定するキーワードは、１つの配信情報に対して複数設定することが可能である。
【００１８】
基地局３は、情報配信サーバ１と移動体端末装置４のデータのやり取りを中継し、情報配信サーバ１のデータ送受信手段１１との間で通信ネットワーク２を介してデータの送受信を行い、また移動体端末装置４のデータ信号送受信手段４１との間でデータ送受信のための信号を無線通信によりやり取りする手段を有する。なお、この基地局３は、具体的には、携帯電話網における基地局や、ブルートゥースあるいは無線ＬＡＮシステムにおけるアクセスポイントなどである。
【００１９】
移動体端末装置４は、データ信号送受信手段４１、表示手段４２、操作手段４３、データ記録手段４４、端末制御手段４５より構成される。
データ信号送受信手段４１は、基地局３との間でデータ送受信のための信号を無線通信によりやり取りする手段を有する。表示手段４２は、利用者へのメッセージを表示する手段を有する。操作手段４３は、利用者がコマンドを入力する手段を有する。データ記録手段４４は、利用履歴データと配信情報を記録する手段を有する。
【００２０】
また、当該移動体端末装置４は、配信情報の取得の他に、インターネット等の通信ネットワーク内の情報検索と照会、映像の視聴や音楽の聴取、ゲームの実施、テレビの遠隔制御、自動販売機や店舗またはインターネット上での商品の購入、電車や飛行機等の公共交通機関の乗車券（チケット）等に利用可能であり、その利用履歴データをデータ記録手段４４に記録する。
【００２１】
具体的には、例えば、移動体端末装置４を利用してインターネット等の通信ネットワーク内の情報を検索し照会した場合には、広告やニュース等の情報の種類、当該情報に記載されている商品や店舗の名称や種類等を利用履歴データとして記録する。
また、例えば、移動体端末装置４を利用して映画の視聴や音楽の聴取等を行った場合には、映画の場合はコメディやホラー等のジャンル、音楽の場合はジャズやクラシック等のジャンル、題名、作者名や歌手名等を利用履歴データとして記録する。
また、例えば、移動体端末装置４を利用してゲームを行った場合には、ゲーム名や対戦型ゲームやロールプレイングゲーム等のゲームの種類等を利用履歴データとして記録する。
また、例えば、移動体端末装置４をテレビの遠隔制御装置として利用した場合には、視聴した番組のチャンネルや時間帯、番組名や番組の種類、出演者名等を利用履歴データとして記録する。
また、例えば、移動体端末装置４を利用して自動販売機、店舗やインターネット上で商品を購入した場合には、商品名や商品の種類等を利用履歴データとして記録する。
移動体端末装置４を電車や飛行機等の公共交通機関の乗車券として利用した場合には、交通機関の種類、経路や利用日等を利用履歴データとして記録する。
これらの利用履歴データは、ｅＸｔｅｎｓｉｂｌｅ　Ｍａｒｋｕｐ　Ｌａｎｇｕａｇｅ（ＸＭＬ、拡張マークアップ言語）等の記述方法を用いて、あらかじめ決められた形式にしたがって記録するものとする。
【００２２】
端末制御手段４５は、情報の種類を特定するキーワードをデータ信号送受信手段４１経由で受信した際に、データ記録手段４４に記録されている利用履歴データと当該キーワードを照合し、一致する場合には利用者に当該情報の取得の有無を確認するメッセージを表示手段４２に表示する手段を有する。
また、情報の種類を特定するキーワードを配信情報とは別に配信する場合に、端末制御手段４５は、利用者が操作手段４３から入力したコマンドであって情報の取得を指示するコマンドを受け、当該情報の配信を、情報ＩＤ、利用履歴データと一致したキーワード等とともにデータ信号送受信手段４１経由で情報配信サーバ１に要求し、データ信号送受信手段４１経由で取得した情報をデータ記録手段４４に記録し、表示手段４２に表示する手段を有する。
【００２３】
一方、情報の種類を特定するキーワードを配信情報と一緒に配信する場合に、端末制御手段４５は、利用者が操作手段４３から情報の取得を指示するコマンドを入力したのを受け、情報の種類を特定するキーワードと一緒に配信された情報をデータ記録手段４４に記録し、表示手段４２に表示し、また情報ＩＤ、利用履歴データと一致したキーワード等を情報配信サーバ１にデータ信号送受信手段４１経由で通知する手段を有する。
【００２４】
次に、図２および図３を参照しながら、情報の種類を特定するキーワードを配信情報とは別に配信する場合および情報の種類を特定するキーワードを配信情報と一緒に配信する場合それぞれの、情報配信処理手順について説明する。
図２は、本実施形態において、情報の種類を特定するキーワードを配信情報とは別に配信する場合の情報配信方法の処理手順を示すフローチャートである。以下、図２に沿って説明する。
ステップ１０１（Ｓ１０１）で、移動体端末装置４において、インターネット等の通信ネットワーク内の情報検索と照会、映像の視聴や音楽の聴取、ゲームの実施、テレビの遠隔制御、自動販売機や店舗またはインターネット上での商品の購入、電車や飛行機等の公共交通機関の乗車券等に利用された場合に、その利用履歴データをデータ記録手段４４に記録する。
ステップ１０２（Ｓ１０２）で、情報配信サーバ１において、サーバ制御手段１２は、データ管理手段１３から情報ＩＤ、情報の種類を特定するキーワード及び当該キーワードの配信順序や配信スケジュール等を順次検索し、ステップ１０３（Ｓ１０３）で、サーバ制御手段１２は、無線通信エリア内の全ての移動体端末装置４に配信順序や配信スケジュールにしたがって情報ＩＤとキーワードをデータ送受信手段１１経由で一斉に配信する。
【００２５】
ステップ１０４（Ｓ１０４）で、移動体端末装置４において、情報ＩＤとキーワードをデータ信号送受信手段４１経由で受信すると、ステップ１０５（Ｓ１０５）で、端末制御手段４５は、データ記録手段４４に記録されている利用履歴データと当該キーワードを照合し、一致する場合にはステップ１０６（Ｓ１０６）で、端末制御手段４５は、利用者に当該情報の取得の有無を確認するメッセージを表示手段４２に表示する。
ステップ１０７（Ｓ１０７）で、移動体端末装置４において、利用者が操作手段４３から情報の取得を指示するコマンドを入力した場合には、ステップ１０８（Ｓ１０８）で、端末制御手段４５は、当該情報の配信を、情報ＩＤ、利用履歴データと一致したキーワード等とともにデータ信号送受信手段４１経由で情報配信サーバ１に送信し、当該情報の配信を要求する。
ステップ１０９（Ｓ１０９）で、情報配信サーバ１において、移動体端末装置４からの情報の配信要求をデータ送受信手段１１経由で受信すると、ステップ１１０（Ｓ１１０）で、サーバ制御手段１２は、データ管理手段１３から当該情報ＩＤに対応する情報を検索し、ステップ１１１（Ｓ１１１）で、当該移動体端末装置４のみにデータ送受信手段１１軽由で情報を配信し、ステップ１１２（Ｓ１１２）で、サーバ制御手段１２は、当該情報配信要求に含まれるキーワードのヒット数をカウントアップしてデータ管理手段１３に記録する。
ステップ１１３（Ｓ１１３）で、移動体端末装置４において、情報をデータ信号送受信手段４１経由で受信すると、ステップ１１４（Ｓ１１４）で、端末制御手段４５は、取得した情報をデータ記録手段４４に記録し、表示手段４２に表示する。
【００２６】
なお、ステップ１０５（Ｓ１０５）の照合において、データ記録手段４４に記録されている利用履歴データとキーワードとが一致しなかった場合には、利用者に対する情報取得の有無の確認メッセージの表示等を行わず、そのまま当該キーワード等に関する処理を終了する。
また、ステップ１０７（Ｓ１０７）において利用者が操作手段４３から情報の取得を行わないことを指示するコマンドを入力した場合には、該当する情報の取得を行わず、当該キーワード等に関する処理を終了する。
【００２７】
図３は、本実施形態において、情報の種類を特定するキーワードを配信情報と一緒に配信する場合の情報配信方法の処理手順を示すフローチャートである。以下、図３に沿って説明する。
ステップ２０１（Ｓ２０１）で、移動体端末装置４において、インターネット等の通信ネットワーク内の情報検索と照会、映像の視聴や音楽の聴取、ゲームの実施、テレビの遠隔制御、自動販売機や店舗またはインターネット上での商品の購入、電車や飛行機等の公共交通機関の乗車券等に利用された場合に、その利用履歴データをデータ記録手段４４に記録する。
ステップ２０２（Ｓ２０２）で、情報配信サーバ１において、サーバ制御手段１２は、データ管理手段１３から情報ＩＤ、情報の種類を特定するキーワード、当該キーワードの配信順序や配信スケジュール及び配信情報等を順次検索し、ステップ２０３（Ｓ２０３）で、サーバ制御手段１２は、無線通信エリア内の全ての移動体端末装置４に配信順序や配信スケジュールにしたがって情報ＩＤ、キーワード及び配信情報をデータ送受信手段１１経由で一斉に配信する。
【００２８】
ステップ２０４（Ｓ２０４）で、移動体端末装置４において、情報ＩＤ、キーワード及び配信情報をデータ信号送受信手段４１経由で受信すると、ステップ２０５（Ｓ２０５）で、端末制御手段４５は、データ記録手段４４に記録されている利用履歴データと当該キーワードを照合し、一致する場合にはステップ２０６（Ｓ２０６）で、端末制御手段４５は、利用者に当該情報の取得の有無を確認するメッセージを表示手段４２に表示する。
ステップ２０７（Ｓ２０７）で、移動体端末装置４において、利用者が操作手段４３から情報の取得を指示するコマンドを入力した場合には、ステップ２０８（Ｓ２０８）で、端末制御手段４５は、情報の種類を特定するキーワードと一緒に配信された情報をデータ記録手段４４に記録して表示手段４２に表示し、ステップ２０９（Ｓ２０９）で、端末制御手段４５は、情報ＩＤ、利用履歴データと一致したキーワード等を情報配信サーバ１にデータ信号送受信手段４１経由で通知する。
ステップ２１０（Ｓ２１０）で、情報配信サーバ１において、移動体端末装置４からの情報の取得通知をデータ送受信手段１１経由で受信すると、ステップ２１１（Ｓ２１１）で、サーバ制御手段１２は、当該情報取得通知に含まれるキーワードのヒット数をカウントアップしてデータ管理手段１３に記録する。
【００２９】
なお、ステップ２０５（Ｓ２０５）の照合において、データ記録手段４４に記録されている利用履歴データとキーワードとが一致しなかった場合には、利用者に対する情報取得の有無の確認メッセージの表示等を行わず、そのまま当該キーワード等に関する処理を終了する。
また、ステップ２０７（Ｓ２０７）において利用者が操作手段４３から情報の取得を行わないことを指示するコマンドを入力した場合には、該当する情報の取得を行わず、当該キーワード等に関する処理を終了する。
【００３０】
上述の移動体端末装置および情報配信サーバはそれぞれ、コンピュータを用いて実現されている。そして、上述したキーワードや情報の配信、利用履歴データとキーワードとの照合、情報取得の有無の確認、情報の記録、ヒット数のカウントアップ等の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３１】
以上、図面を参照してこの発明の実施形態を詳述してきたが、具体的な構成はこれらの実施形態に限られるものではなく、この発明の要旨を逸脱しない範囲の設計等も含まれる。
【００３２】
【発明の効果】
以上説明したように、この発明によれば、無線通信エリア内の全ての移動体端末装置に情報の種類を特定するキーワードを配信情報とは別に、または配信情報と一緒に一斉に配信する手段と、移動体端末装置で情報を取得する際に利用履歴データと一致したキーワードの通知を受けて当該キーワードのヒット数をカウントアップする手段を情報配信サーバに備えることにより、当該無線通信エリア内で情報取得を希望する全ての移動体端末装置に向けた情報配信が可能となり、各キーワードのヒット数をもとに利用者動向を分析することで広告効果を高めることも可能となる。
一方、移動体端末装置の利用履歴を利用履歴データとして当該移動体端末装置内に記録する手段と、利用履歴データと情報の種類を特定するキーワードを照合して一致する情報のみを取得する手段を移動体端末装置に備えることにより、利用者の嗜好データの設定作業を軽減し、かつ希望する条件により適合した情報のみを取得することが可能となる。また、情報を取得する際に利用履歴データと一致した必要最小限のキーワードのみを情報配信サーバに通知する手段を移動体端末装置に備えることにより、利用者のプライバシー保護も可能となる。
【図面の簡単な説明】
【図１】情報配信方法を実現するためのネットワーク構成を示す概略図である。
【図２】情報の種類を特定するキーワードを配信情報とは別に配信する場合の情報配信方法の処理手順を示すフローチャートである。
【図３】情報の種類を特定するキーワードを配信情報と一緒に配信する場合の情報配信方法の処理手順を示すフローチャートである。
【符号の説明】
１　情報配信サーバ
２　通信ネットワーク
３　基地局
４　移動体端末装置
１１　データ送受信手段
１２　サーバ制御手段
１３　データ管理手段
４１　データ信号送受信手段
４２　表示手段
４３　操作手段
４４　データ記録手段
４５　端末制御手段
【図１】
2004110512.tif 000003
【図２】
2004110512.tif 000004
【図３】
2004110512.tif 000005